(57)【要約】【課題】タクシー専用の磁気カードを所持しなくとも割引サービスを受けることのできるタクシー料金割引抽選システムを提供する。【解決手段】タクシー車両側装置と、同装置と情報交換するセンター側装置とで構成されるタクシー無線システムにおいて、前記タクシー車両側装置に料金メータ１と連動して乗客番号を発生する乗客番号発生部１１と、割引抽選を開始するための抽選ボタン２１と、前記乗客番号発生部より発生する乗客番号と抽選開始信号を無線機２を介してセンター側装置に送信する抽選要求部１３と、抽選結果に基づいて割引処理する割引処理部１６を設ける一方、前記センター側装置に送信される乗客番号を記憶する番号記憶部（６１）と、電子抽選部（６２）と、同抽選結果を記憶する顧客情報記憶部（６３）と、同抽選結果を前記乗客番号に対応するタクシー車両側装置に送信する抽選結果出力部（６４）とを設けた。【選択図】　図１
2004062252.tif 000002
【特許請求の範囲】
【請求項１】
走行距離や待ち時間から料金を算出して表示する料金メータと、センターと音声及び情報の交信を行うためのタクシー無線用の無線機と、前記料金メータ、無線機等を接続して通信処理を行う通信処理部とでなるタクシー車両側装置と、
複数のタクシー車両に搭載される前記タクシー無線用の無線機と交信する基地局や受信局を遠隔制御して複数のタクシー車両に搭載される無線機と交信する遠隔制御器と、同遠隔制御器を介して受信した信号をデジタル信号に変換すると共に、入力されたデジタル信号を音声信号に変換して同遠隔制御器に出力するモデムと、入力部、モニタ及びプリンタを接続して各種情報を処理する複数の情報処理装置と、前記モデムと複数の情報処理装置とを接続してＬＡＮを構築するハブとでなるセンター側装置とで構成されるタクシー無線システムにおいて、
前記タクシー車両側装置に、前記料金メータと連動して乗客番号を発生する乗客番号発生部と、割引抽選を開始するため客席側に備える抽選実行部と、同抽選実行部の操作により前記乗客番号発生部より発生する乗客番号と抽選開始信号を前記無線機を介してセンター側装置に送信する抽選要求部と、抽選結果に基づいて割引料金を算出して出力する割引処理部を設ける一方、
前記センター側装置に、前記タクシー車両側装置から送信される乗客番号を記憶する番号記憶部と、同時に送信される抽選開始信号により起動され自動的に抽選を行う電子抽選部と、同電子抽選部の抽選により決定された料金割引率や割引料金等の抽選結果を記憶する顧客情報記憶部と、同抽選結果を前記乗客番号に対応するタクシー車両側装置に送信する抽選結果出力部とを設けてなることを特徴とするタクシー料金割引抽選システム。
【請求項２】
前記タクシー車両側装置に乗客の所持する携帯電話／ＰＨＳや携帯端末から送信されたメールを受信する携帯端末部と、受信したメールの内容から乗客からのメールであるか否かを判定する乗客判定部とを設けると共に、前記乗客番号発生部に前記乗客番号に乗客のメールアドレスを追加する機能を持たせる一方、
前記センター側装置に前記乗客のメールアドレスに抽選結果を送信するメール送信部を設けたことを特徴とする請求項１記載のタクシー料金割引抽選システム。
【請求項３】
走行距離や待ち時間から料金を算出して表示する料金メータと、センターと音声及び情報の交信を行うためのタクシー無線用の無線機と、前記料金メータ、無線機等を接続して通信処理を行う通信処理部とでなるタクシー車両側装置と、
複数のタクシー車両に搭載される前記タクシー無線用の無線機と交信する基地局や受信局を遠隔制御して複数のタクシー車両に搭載される無線機と交信する遠隔制御器と、同遠隔制御器を介して受信した信号をデジタル信号に変換すると共に、入力されたデジタル信号を音声信号に変換して同遠隔制御器に出力するモデムと、入力部、モニタ及びプリンタを接続して各種情報を処理する複数の情報処理装置と、前記モデムと複数の情報処理装置とを接続してＬＡＮを構築するハブとでなるセンター側装置とで構成されるタクシー無線システムにおいて、
前記タクシー車両側装置に、前記料金メータと連動して専用ホームページの割引抽選に参加するために必要なパスワードを発生するパスワード発生部と、同割引抽選結果に基づいて割引料金を算出して出力する割引処理部を設ける一方、
前記センター側装置に、専用ホームページを管理するサーバ部と、前記タクシー車両側装置から送信されるパスワードを記憶するパスワード記憶部と、乗客の携帯電話や情報端末から前記専用ホームページにアクセスして前記パスワード記憶部に記憶されるパスワードと同じパスワードを入力して割引抽選に参加し、同ホームページ上に表示される抽選実行部をクリックすると起動され自動的に抽選を行う電子抽選部と、同電子抽選部の抽選により決定された料金割引率や割引料金等の抽選結果を記憶する顧客情報記憶部と、同抽選結果を前記パスワードに対応するタクシー車両側装置と前記乗客の携帯電話や情報端末に送信する抽選結果出力部とを設けてなることを特徴とするタクシー料金割引抽選システム。
【請求項４】
前記タクシー車両側装置に抽選サービスの方法、抽選経過、抽選結果等を表示する乗客用表示部を設けたことを特徴とする請求項１または請求項３記載のタクシー料金割引抽選システム。
【発明の詳細な説明】
【０００１】
【発明の属する技術分野】
本発明は、タクシーのサービスに係り、特に乗客の操作により抽選を行い、タクシー料金の割引を行うタクシー料金割引抽選システムに関する。
【０００２】
【従来の技術】
従来、タクシーの乗車料金は地域内で一律であり、どのタクシー会社の車両に乗車しても、乗客の支払う料金は同じであり、タクシー会社独自のサービスを提供することが難しかった。
近年、規制緩和により、基本乗車料金や各種サービスがタクシー会社毎に出来るようになり、他社との差別化が可能になってきている。
そこで、タクシー専用の磁気カードを発行して累積乗車距離や乗車回数等、所謂ポイントにより割引する方法と装置が一般的に考えられている。
しかし、この方法では、タクシー会社に登録した専用磁気カードを携帯しなければならず、カードが増えてその管理が大変になるという問題がある。
また、近年、携帯電話やモバイルＰＣが普及し、多くの人々がこれを利用して会話やメール交換を楽しんでいるが、インターネットでの料金精算はそれほど普及していないのが現状である。
【０００３】
【発明が解決しようとする課題】
本発明は以上述べた問題点を解決し、専用の磁気カードを所持することなく、タクシー料金の割引サービスを受けることのできるタクシー料金割引抽選システムを提供することを目的としている。
【０００４】
【課題を解決するための手段】
本発明は上述の課題を解決するため、走行距離や待ち時間から料金を算出して表示する料金メータと、センターと音声及び情報の交信を行うためのタクシー無線用の無線機と、前記料金メータ、無線機等を接続して通信処理を行う通信処理部とでなるタクシー車両側装置と、
複数のタクシー車両に搭載される前記タクシー無線用の無線機と交信する基地局や受信局を遠隔制御して複数のタクシー車両に搭載される無線機と交信する遠隔制御器と、同遠隔制御器を介して受信した信号をデジタル信号に変換すると共に、入力されたデジタル信号を音声信号に変換して同遠隔制御器に出力するモデムと、入力部、モニタ及びプリンタを接続して各種情報を処理する複数の情報処理装置と、前記モデムと複数の情報処理装置とを接続してＬＡＮを構築するハブとでなるセンター側装置とで構成されるタクシー無線システムにおいて、
前記タクシー車両側装置に、前記料金メータと連動して乗客番号を発生する乗客番号発生部と、割引抽選を開始するため客席側に備える抽選実行部と、同抽選実行部の操作により前記乗客番号発生部より発生する乗客番号と抽選開始信号を前記無線機を介してセンター側装置に送信する抽選要求部と、抽選結果に基づいて割引料金を算出して出力する割引処理部を設ける一方、
前記センター側装置に、前記タクシー車両側装置から送信される乗客番号を記憶する番号記憶部と、同時に送信される抽選開始信号により起動され自動的に抽選を行う電子抽選部と、同電子抽選部の抽選により決定された料金割引率や割引料金等の抽選結果を記憶する顧客情報記憶部と、同抽選結果を前記乗客番号に対応するタクシー車両側装置に送信する抽選結果出力部とを設けてなるタクシー料金割引抽選システムとしている。
【０００５】
また、前記タクシー車両側装置に乗客の所持する携帯電話／ＰＨＳや携帯端末から送信されたメールを受信する携帯端末部と、受信したメールの内容から乗客からのメールであるか否かを判定する乗客判定部とを設けると共に、前記乗客番号発生部に前記乗客番号に乗客のメールアドレスを追加する機能を持たせる一方、前記センター側装置に前記乗客のメールアドレスに抽選結果を送信するメール送信部を設けたタクシー料金割引抽選システムとしている。
【０００６】
また、走行距離や待ち時間から料金を算出して表示する料金メータと、センターと音声及び情報の交信を行うためのタクシー無線用の無線機と、前記料金メータ、無線機等を接続して通信処理を行う通信処理部とでなるタクシー車両側装置と、
複数のタクシー車両に搭載される前記タクシー無線用の無線機と交信する基地局や受信局を遠隔制御して複数のタクシー車両に搭載される無線機と交信する遠隔制御器と、同遠隔制御器を介して受信した信号をデジタル信号に変換すると共に、入力されたデジタル信号を音声信号に変換して同遠隔制御器に出力するモデムと、入力部、モニタ及びプリンタを接続して各種情報を処理する複数の情報処理装置と、前記モデムと複数の情報処理装置とを接続してＬＡＮを構築するハブとでなるセンター側装置とで構成されるタクシー無線システムにおいて、
前記タクシー車両側装置に、前記料金メータと連動して専用ホームページの割引抽選に参加するために必要なパスワードを発生するパスワード発生部と、同割引抽選結果に基づいて割引料金を算出して出力する割引処理部を設ける一方、
前記センター側装置に、専用ホームページを管理するサーバ部と、前記タクシー車両側装置から送信されるパスワードを記憶するパスワード記憶部と、乗客の携帯電話や情報端末から前記専用ホームページにアクセスして前記パスワード記憶部に記憶されるパスワードと同じパスワードを入力して割引抽選に参加し、同ホームページ上に表示される抽選実行部をクリックすると起動され自動的に抽選を行う電子抽選部と、同電子抽選部の抽選により決定された料金割引率や割引料金等の抽選結果を記憶する顧客情報記憶部と、同抽選結果を前記パスワードに対応するタクシー車両側装置と前記乗客の携帯電話や情報端末に送信する抽選結果出力部とを設けてなるタクシー料金割引抽選システムとしている。
【０００７】
また、前記タクシー車両側装置に抽選サービスの方法、抽選経過、抽選結果等を表示する乗客用表示部を設けたタクシー料金割引抽選システムとしている。
【０００８】
【発明の実施の形態】
以下、図面に基づいて本発明によるタクシー料金割引抽選システムを詳細に説明する。
図１は本発明によるタクシー料金割引抽選システムの車両側の装置の一実施例を示す要部ブロック図、図２は同システムのセンター側の装置の一実施例を示す要部ブロック図である。
図１に示すように、このタクシーの車両には料金メータ１と無線機２がＧＰＳや録音再生機能を有する通信処理部３に接続されている。
その他、この通信処理部３にはタクシー無線用の応答・了解マイク４、強盗に遭った時など緊急の場合に使用する緊急スイッチ５、タッチパネルを備えるＧＰＳ兼用の操作・表示部６、ＧＰＳアンテナ７等が接続されている。
また、前記無線機２にはタクシー無線用アンテナ８が接続されている。
以上は従来のタクシー車両に搭載されている装置と同じである。
本発明においては、前記通信処理部３には前記料金メータ１を倒す毎に変更して乗客番号を発生する乗客番号発生部１１が設けられ、客席側に設けた割引抽選ボタン２１と、前記乗客番号発生部１１の発生する乗客番号や抽選状況及び抽選結果を表示する乗客用表示部２２と、乗客の携帯電話３０またはＰＨＳとメール交換するための携帯電話部１４とが接続されている。
前記乗客番号は、例えば、同タクシー車両の車両番号と乗務員番号と日時と一連番号と、乗客のメールアドレスで構成され、センター側での管理がやり易いようになっている。
但し、乗客のメールアドレスが無い場合は乗客のメールアドレス部分は省略されるようになっている。
さらに、前記通信処理部３には、前記携帯電話部１４を介して受信されたメール情報から乗客番号及び乗客のメールアドレスを抽出し、前記乗客番号発生部１１から発生された乗客番号と比較して乗客からのメールであることを判定する乗客判定部１２と、同乗客判定部１２の判定結果が乗客からのメールと判定されるかまたは前記割引抽選ボタン２１を乗客が押下することにより前記（乗客番号＋乗客のメールアドレス）又は（乗客番号のみ）に抽選を開始する抽選開始信号を付加した抽選要求信号を発生する抽選要求部１３が設けられている。
また、前記通信処理部３には、抽選結果に基づいてタクシー料金の割引処理を行う割引処理部１６が設けられている。
【０００９】
一方、センター側の装置には図２に示すように、タクシー無線用の基地局７１と受信局７２を遠隔制御すると共に、同基地局７１と受信局７２と音声やデジタル信号をやり取りする遠隔制御器５１が設けられている。
この遠隔制御器５１にはタクシー無線を介してタクシー車両と音声通信を行うためのマイク５２とスピーカ５３が接続されている。
また、前記遠隔制御器５１にはタクシー無線を介して各種情報通信を行うため、デジタル信号を音声信号に変換するモデム５４が接続されている。
前記モデム５４は、複数の情報処理装置５６を接続してＬＡＮを形成するハブ５５に接続されている。
このＬＡＮにはインターネット１００に接続するための高速通信装置９０も接続されている。
前記情報処理装置５６には情報を入力するキーボードやマウス等の入力部５７、情報を表示するモニタ５８、必要な情報を印刷するプリンタ５９と、乗客の携帯電話３０とメール交換するメール送信部６０が接続されている。
また、前記情報処理装置５６には前記タクシー車両からタクシー無線を介して送信される乗客番号及び乗客のメールアドレスを記憶する番号記憶部６１と、同じく送信される抽選開始信号を受けると自動的に抽選を開始する電子抽選部６２と、同電子抽選部６２の抽選結果と前記乗客番号を乗客のメールアドレスに対応して記憶する顧客情報記憶部６３と、同抽選結果をタクシー無線を介して前記乗客番号に対応するタクシー車両に送信すると共に、前記メール送信部６０を介して前記乗客のメールアドレスにメールする抽選結果出力部６４が設けられている。
【００１０】
図３は本発明によるタクシー料金割引抽選システムの車両側の装置の他の実施例を示す要部ブロック図、図４は同システムのセンター側の装置の他の実施例を示す要部ブロック図である。
図３に示すように、このタクシーの車両には料金メータ１と無線機２がＧＰＳや録音再生機能を有する通信処理部３に接続されている。
その他、この通信処理部３にはタクシー無線用の応答・了解マイク４、緊急スイッチ５、タッチパネルを備えるＧＰＳ兼用の操作・表示部６、ＧＰＳアンテナ７等が接続されている。
また、前記無線機２にはタクシー無線用のアンテナ８が接続されている。
以上は従来のタクシー車両に搭載されている装置と同じである。
本発明においては、前記料金メータ１を倒す毎に変更してパスワードを発生するパスワード発生部１５と、抽選結果に基づいてタクシー料金の割引処理を行い、処理結果を前記操作・表示部６や後述の乗客用表示部２２に表示すると共に、同処理結果を精算情報としてセンター側の装置にタクシー無線を介して送信する割引処理部１６が設けられる。
前記パスワードは、例えば、同タクシー車両の車両番号と乗務員番号と日時と一連番号とで構成され、センター側での管理がやり易いようになっている。
また、前記通信処理部３には客席側に設けられる乗客用表示部２２が接続されている。
３０は、乗客の所持した携帯電話、ＰＨＳ、モバイルパソコン等のインターネット通信機能を有する携帯用通信装置である。
以上のように図３に示す装置の構成は図１に示すものより簡略化され、図１に示す装置よりコストを低く抑えることができる。
【００１１】
一方、センター側の装置には図４に示すように、タクシー無線用の基地局７１と受信局７２を遠隔制御すると共に、同基地局７１と受信局７２と音声やデジタル信号をやり取りする遠隔制御器５１が設けられている。
この遠隔制御器５１にはタクシー無線を介してタクシー車両と音声通信を行うためのマイク５２とスピーカ５３が接続されている。
また、前記遠隔制御器５１にはタクシー無線を介して各種情報通信を行うため、デジタル信号を音声信号に変換するモデム５４が接続されている。
前記モデム５４は、複数の情報処理装置５６を接続してＬＡＮを形成するハブ５５に接続されている。
前記情報処理装置５６には情報を入力するキーボードやマウス等の入力部５７、情報を表示するモニタ５８、必要な情報を印刷するプリンタ５９とが接続されている。
また、この情報処理装置５６にはパスワード記憶部８１を有し、同記憶するパスワードによりインターネットとの接続が許可される専用のホームページを備えるサーバ８０の機能を備えている。（このサーバ８０は情報処理装置５６とは別に設けてＬＡＮを介して接続してもよい。）
また、このサーバ８０には前記パスワード記憶部８１の他に、前記専用ホームページに接続した乗客が同専用ホームページ上の抽選ボタンをクリックすることにより抽選を開始する電子抽選部８２と、同じく乗客がホームページ上の顧客情報登録欄に記入した氏名、年齢、メールアドレス等の顧客情報と前記電子抽選部８２の抽選結果を記憶する顧客情報記憶部８３と、同抽選結果をタクシー無線を介して前記乗客番号に対応するタクシー車両に送信すると共に、前記顧客情報中のメールアドレスにメールする抽選結果出力部８４が設けられている。
【００１２】
以上の構成において、つぎにその動作を説明するがまず、図１及び図２にそのブロック図を示した第１の発明について説明する。
図５は第１の発明のタクシー車両側の装置の動作を説明するためのフローチャート図、図６は同センター側の装置の動作を説明するためのフローチャート図である。
まず、図５を参照してタクシー車両側の装置の動作を説明する。
このタクシー車両に客が乗り乗務員により料金メータ１が倒される（料金メータＯＮ）と（ＳＴ１）、乗客番号発生部１１から新しい乗客番号が発生され、無線機１を介してタクシー無線にてセンター側に送信されると共に、操作・表示部６及びまたは乗客用表示部２２に同乗客番号とこのタクシー車両に備える携帯電話１４の専用メールアドレスと抽選可能である旨が表示される（ＳＴ２）。
このタクシー車両に図１の割引抽選ボタン２１を備えている場合は乗客はこの割引抽選ボタン２１を押下（ＳＴ３）することによりＳＴ４に進み割引抽選が開始されるが、割引抽選ボタン２１を備えていない場合は、タクシー車両に備える携帯電話１４にメールが受信され（ＳＴ９）、同メールの内容から前記乗客番号が確認され、乗客の持参する携帯電話からのメールであると判定される（ＳＴ１０）ことによりＳＴ４に進み割引抽選が開始される。
ＳＴ３又はＳＴ１０で割引抽選ボタン２１が押下されるか、乗客からのメールが確認されると前記乗客番号と乗客からのメールを受信した場合は乗客のメールアドレスとでなる抽選開始信号がタクシー無線を介してセンター側に送信されると共に、表示部（操作表示部６及びまたは乗客用表示部２２）に抽選中である旨を表示し（ＳＴ４）、抽選結果を待つ（ＳＴ５）。
ＳＴ５で、タクシー無線によりセンター側から送信された抽選結果が受信されると、表示部（操作表示部６及びまたは乗客用表示部２２）にこの抽選結果を表示すると共に、割引処理部１６が処理して割引前の料金と割引後の料金を表示し（ＳＴ６）、料金メータ１が戻される（料金メータＯＦＦ）のを待つ（ＳＴ７）。
ＳＴ７で乗客から前記割引料金を徴収した後、乗務員により料金メータ１が戻される（料金メータＯＦＦ）と割引精算結果が精算情報としてタクシー無線を介してセンター側の装置に送信される。
【００１３】
次に、図６を参照してセンター側の装置の動作を説明する。
タクシー車両側の装置からタクシー無線を介して送信される乗客番号を受信すると（ＳＴ１１）、この乗客番号が番号記憶部６１に記憶される（ＳＴ１２）。つぎに、タクシー車両からタクシー無線を介して送信される抽選開始信号を受信すると（ＳＴ１３）、電子抽選部６２が抽選を開始し（ＳＴ１４）、抽選が終了する（ＳＴ１５）と、この抽選結果を前記番号記憶部６１に記憶される乗客番号に対応する車両番号のタクシー車両の装置にタクシー無線を介して、また、乗客のメールアドレスにインターネットを介して送信すると共に、顧客情報記憶部６３に記憶し（ＳＴ１６）、同タクシー車両からの精算情報の受信を待つ（ＳＴ１７）。
勿論、ＳＴ１６で乗客用メールアドレスが記憶されていない場合はメールの送信は行われない。
ＳＴ１７で精算情報を受信すると、その精算情報は精算情報管理用の情報処理装置５６に転送されて管理される。
【００１４】
次に、図３及び図４にそのブロック図を示した第２の発明について説明する。図７は第１の発明のタクシー車両側の装置の動作を説明するためのフローチャート図、図８は同センター側の装置の動作を説明するためのフローチャート図である。
まず、図７を参照してタクシー車両側の装置の動作を説明する。
このタクシー車両に客が乗り乗務員により料金メータ１が倒される（料金メータＯＮ）と（ＳＴ２１）、パスワード発生部１５から新しいパスワードが発生され、無線機１を介してタクシー無線にてセンター側の装置に送信され（ＳＴ２２）、抽選許可を待つ（ＳＴ２３）。
ＳＴ２３で抽選許可を受信すると、操作・表示部６及びまたは乗客用表示部２２にこのタクシー専用のホームページアドレスと前記パスワードと抽選可能である旨が表示され（ＳＴ２４）、抽選の開始を待つ（ＳＴ２５）。
ＳＴ２５で、タクシーの乗務員が乗客に抽選のやり方を説明し、抽選を促し、乗客が自分の携帯電話３０から前記タクシー専用のホームページアドレスにアクセスし、ホームページ上の抽選ボタンを押下させ、センター側の装置から抽選が開始された旨の通知を受信すると、前記各表示部（操作・表示部６及びまたは乗客用表示部２２）に抽選中である旨の表示を行い（ＳＴ２６）、抽選結果の受信を待つ（ＳＴ２７）。
この時、乗客の携帯電話の表示するホームページ上にも抽選を開始し、結果がメールされる旨が表示される。
ＳＴ２７で、抽選結果を受信すると、前記各表示部に抽選結果を表示し、ついで、抽選結果に基づいた現在の料金と割引料金をタイムリーに表示し（ＳＴ２８）、料金メータ１が戻される（料金メータＯＦＦ）のを待つ（ＳＴ２９）。
この時、乗客の携帯電話にも抽選結果がメールされる。
抽選結果は、例えば、当選か否か、当選した場合は料金が１０パーセント割引される等タクシー料金の割引率としている。
ＳＴ２９で、乗客が割引料金を精算し、乗務員が料金メータ１を戻す（料金メータＯＦＦ）と、その時のタクシー料金と割引料金を精算情報としてセンター側の装置にタクシー無線を介して送信する（ＳＴ３０）。
【００１５】
次に、図８を参照してセンター側の装置の動作を説明する。
タクシー車両側の装置からタクシー無線を介して送信されるパスワードを受信すると（ＳＴ３１）、同パスワードをパスワード記憶部６１に記憶しタクシー車両側の装置に抽選許可信号をタクシー無線を介して送信し（ＳＴ３２）、タクシー専用ホームページへのアクセスを待つ（ＳＴ３３）。
ＳＴ３３でタクシー専用ホームページへのアクセスがあると、パスワードが正しいことをチェックし（ＳＴ３４）、正しければ抽選開始画面を同ホームページ上に表示し（ＳＴ３５）、抽選開始ボタンの押下を待つ（ＳＴ３６）。
ＳＴ３６で抽選開始ボタンが押下されると、前記パスワード記憶部８１に記憶されるパスワードに対応するタクシー車両の装置にタクシー無線を介して抽選開始信号を送信すると共に、電子抽選部８２が抽選を開始し（ＳＴ３７）、抽選が終了する（ＳＴ３８）と、この抽選結果を前記パスワード記憶部８１に記憶されるパスワードに対応する車両番号のタクシー車両の装置にタクシー無線を介して、また、乗客のメールアドレスにインターネットを介して送信すると共に、顧客情報記憶部８３に記憶し（ＳＴ３９）、同タクシー車両からの精算情報の受信を待つ（ＳＴ４０）。
ＳＴ４０で精算情報を受信すると、その精算情報は精算情報管理用の情報処理装置５６に転送されて管理される。
ＳＴ３４でパスワードが正しくない場合は再送要求し、３回間違えた場合は、乗客からのアクセスではないものとしてＳＴ３３に戻り次のアクセスを待つ。
【００１６】
【発明の効果】
以上説明したように、本発明の第１の発明によるタクシー料金割引抽選システムによれば、従来のタクシー無線システムを利用するので、簡単な構成で磁気カード等特別な物を携帯せずに割引抽選のできるタクシー料金割引抽選システムが構築できる。
また、第２の発明によれば、殆んどの乗客が所持するまでに普及した携帯電話や携帯端末を利用すると共に、従来のタクシー無線システムとインターネットを利用してタクシー料金割引抽選システムを構築したので、複数必要となるタクシー車両側装置を第１の発明より簡略化でき、コスト的にも有利となる。
また、乗客用表示部を設け、サービス内容、抽選方法、抽選経過及び抽選結果を適時表示することにより、乗客に不信感を与えることなく、効果的なサービスを提供することが可能となる。
【図面の簡単な説明】
【図１】本発明によるタクシー料金割引抽選システムの車両側の装置の一実施例を示す要部ブロック図である。
【図２】本発明によるタクシー料金割引抽選システムのセンター側の装置の一実施例を示す要部ブロック図である。
【図３】本発明によるタクシー料金割引抽選システムの車両側の装置の他の実施例を示す要部ブロック図である。
【図４】本発明によるタクシー料金割引抽選システムのセンター側の装置の他の実施例を示す要部ブロック図である。
【図５】本発明によるタクシー料金割引抽選システムの車両側の装置の一実施例の動作を説明するフローチャートである。
【図６】本発明によるタクシー料金割引抽選システムのセンター側の装置の一実施例の動作を説明するフローチャートである。
【図７】本発明によるタクシー料金割引抽選システムの車両側の装置の他の実施例の動作を説明するフローチャートである。
【図８】本発明によるタクシー料金割引抽選システムのセンター側装置の他の実施例の動作を説明するフローチャートである。
【符号の説明】
１　料金メータ
２　無線機
３　通信処理部
４　応答・了解マイク
５　緊急スイッチ
６　操作・表示部
７　ＧＰＳアンテナ
８　タクシー無線用アンテナ
１１　乗客番号発生部
１２　乗客判定部
１３　抽選要求部
１４　携帯電話部
１５　パスワード発生部
１６　割引処理部
２１　割引抽選ボタン
２２　乗客用表示部
３０　乗客の携帯電話
５１　遠隔制御器
５２　マイク
５３　スピーカ
５４　モデム
５５　ハブ
５６　情報処理装置
５７　入力部
５８　モニタ
５９　プリンタ
６０　メール送信部
６１　番号記憶部
６２　電子抽選部
６３　顧客情報記憶部
６４　抽選結果出力部
７１　基地局
７２　受信局
８０　サーバ
８１　パスワード記憶部
８２　電子抽選部
８３　顧客情報記憶部
８４　抽選結果出力部
９０　高速通信装置
１００　インターネット
【図１】
2004062252.tif 000003
【図２】
2004062252.tif 000004
【図３】
2004062252.tif 000005
【図４】
2004062252.tif 000006
【図５】
2004062252.tif 000007
【図６】
2004062252.tif 000008
【図７】
2004062252.tif 000009
【図８】
2004062252.tif 000010